(57)【要約】【課題】ピックアップローラーの上昇に起因して発生する騒音を低減することができる画像形成装置を提供する。【解決手段】画像形成装置１は、自動原稿送り装置１０と、制御部９とを備える。自動原稿送り装置１０は、原稿読取部７に向かって原稿Ｒを搬送する。自動原稿送り装置１０は、原稿束Ｒ１が載置される原稿台１１と、原稿束Ｒ１の上面に当接して原稿Ｒを搬送経路の下流側に送出するピックアップローラー１２とを有する。ピックアップローラー１２は、第１速度、又は第１速度よりも遅い第２速度で上下方向に沿って移動可能である。制御部９は、操作信号に基づいて、停止モードから待機モードへ遷移する際に、外部入力装置Ｔから入力された操作信号か否かを判定する。制御部９は、操作信号が外部入力装置Ｔから入力された場合に、ピックアップローラー１２が第２速度で上昇するように自動原稿送り装置１０を制御する。【選択図】図２
2018165190.tif 000002
【特許請求の範囲】
【請求項１】
原稿を読み取って画像データを生成する原稿読取部と、
前記原稿読取部に向かって前記原稿を搬送する自動原稿送り装置と、
前記画像データに基づいて、記録媒体に画像を形成する画像形成部と、
前記原稿読取部、前記自動原稿送り装置及び前記画像形成部を制御する制御部と
を備えた画像形成装置であって、
前記画像形成装置は、停止モードと待機モードとを有し、
前記停止モードでは、前記待機モードと比べて前記画像形成装置の各部に供給される電力が低減され、
前記自動原稿送り装置は、
少なくとも１枚の前記原稿を含む原稿束が載置される原稿台と、
前記原稿束の上面に当接して回転することによって、前記原稿を前記原稿の搬送経路の下流側に送出するピックアップローラーと
を有し、
前記ピックアップローラーは、第１速度、又は前記第１速度よりも遅い第２速度で上下方向に沿って移動可能であり、
前記制御部は、
操作者の操作を示す操作信号に基づいて前記停止モードから前記待機モードへ遷移する際に、前記画像形成装置に接続された外部入力装置から前記操作信号が入力されたか否かを判定し、
前記操作信号が前記外部入力装置から入力された場合に、前記ピックアップローラーが前記第２速度で上昇するように前記自動原稿送り装置を制御する、画像形成装置。
【請求項２】
前記制御部は、
前記自動原稿送り装置が前記停止モードから次の停止モードに遷移するまでの間に、前記原稿束を送出した送出回数を複数計測し、
計測した前記複数の送出回数に基づいて前記原稿束の平均送出回数を算出し、
前記操作信号が前記外部入力装置から入力された場合に、前記平均送出回数と閾値とを比較し、
前記平均送出回数が前記閾値よりも大きい場合に、前記ピックアップローラーが前記第２速度で上昇するように前記自動原稿送り装置を制御し、
前記平均送出回数が前記閾値よりも小さい場合に、前記ピックアップローラーが移動しないように前記自動原稿送り装置を制御する、請求項１に記載の画像形成装置。
【請求項３】
前記制御部は、前記操作信号が前記外部入力装置から入力されていない場合に、前記ピックアップローラーの上昇速度を前記第１速度と前記第２速度とのうちの一方に設定する設定情報に基づいて、前記ピックアップローラーが前記第１速度又は前記第２速度で上昇するように前記自動原稿送り装置を制御する、請求項１又は請求項２に記載の画像形成装置。
【請求項４】
前記制御部に前記操作信号を出力する操作部を更に備える、請求項１から請求項３のいずれか１項に記載の画像形成装置。
【請求項５】
前記原稿台は、前記原稿束が載置されるトレイ本体部と、前記トレイ本体部に載置された前記原稿束の先端側の端部を昇降する昇降部とを有する、請求項１から請求項４のいずれか１項に記載の画像形成装置。
【請求項６】
前記第１速度は、前記第２速度の２倍以上８倍以下の速度である、請求項１から請求項５のいずれか１項に記載の画像形成装置。
【請求項７】
少なくとも１枚の原稿を含む原稿束が載置される原稿台と、
前記原稿束の上面に当接して回転することによって、前記原稿を前記原稿の搬送経路の下流側に送出するピックアップローラーと、
前記ピックアップローラーを制御する制御部と
を有し、
前記ピックアップローラーは、第１速度、又は前記第１速度よりも遅い第２速度で上下方向に沿って移動可能であり、
前記制御部は、
前記ピックアップローラーへの動力の供給を停止した停止モードから前記ピックアップローラーへ動力を供給する待機状態へ遷移する際に、前記ピックアップローラーの上昇速度を前記第１速度と前記第２速度とのうちの一方に設定する設定情報に基づいて、前記ピックアップローラーを前記第１速度又は前記第２速度で上昇させる、自動原稿送り装置。
【発明の詳細な説明】
【技術分野】
【０００１】
本発明は、自動原稿送り装置、及び画像形成装置に関する。
【背景技術】
【０００２】
特許文献１に記載の給紙装置（ＡＤＦ）は、原稿積載トレイと、ピックアップローラーとを備える。原稿積載トレイには、例えば、複数の原稿が重なった原稿束が載置され得る。例えば、原稿積載トレイに原稿束が載置されると、ピックアップローラーは、上限位置から下降位置に移動する。ピックアップローラーは、下降位置において回転し、原稿束の最上段の原稿を搬送経路の下流側へ順次供給する。原稿が搬送経路へ供給されるにつれて、ピックアップローラーは、原稿束の高さに対応するように順次下降する。ピックアップローラーは、原稿の給紙動作を終了した後に上限位置に移動する。
【０００３】
ピックアップローラーは、例えば、節電状態のような停止モード（スリープモード）において、自重によって上限位置から下降する。ピックアップローラーは、停止モードから待機モード（通常モード）に遷移した際にも上限位置に移動する。特許文献１に記載の給紙装置では、給紙動作を終了した後のピックアップローラーの上昇速度は、停止モードから待機モードに遷移する際のピックアップローラーの上昇速度よりも遅く設定される。
【先行技術文献】
【特許文献】
【０００４】
【特許文献１】特開２０１３−７１８３０号公報
【発明の概要】
【発明が解決しようとする課題】
【０００５】
しかしながら、ピックアップローラーが上昇する自動原稿送り装置（ＡＤＦ）では、停止モードから待機モードに遷移した際に、ピックアップローラーの上昇に起因して騒音が発生するおそれがある。
【０００６】
本発明は上記課題に鑑みてなされたものであり、その目的は、停止モードから待機モードに遷移した際に、ピックアップローラーの上昇に起因して、発生する騒音を低減することができる自動原稿送り装置、及び画像形成装置を提供することにある。
【課題を解決するための手段】
【０００７】
本発明に係る画像形成装置は、原稿読取部と、自動原稿送り装置と、画像形成部と、制御部とを備える。前記原稿読取部は、原稿を読み取って画像データを生成する。前記自動原稿送り装置は、前記原稿読取部に向かって前記原稿を搬送する。前記画像形成部は、前記画像データに基づいて、記録媒体に画像を形成する。前記制御部は、前記原稿読取部、前記自動原稿送り装置及び前記画像形成部を制御する。前記画像形成装置は、停止モードと待機モードとを有する。前記停止モードでは、前記待機モードと比べて前記画像形成装置の各部に供給される電力が低減される。前記自動原稿送り装置は、原稿台と、ピックアップローラーとを有する。前記原稿台には、少なくとも１枚の前記原稿を含む原稿束が載置される。前記ピックアップローラーは、前記原稿束の上面に当接して回転することによって、前記原稿を前記原稿の搬送経路の下流側に送出する。前記ピックアップローラーは、第１速度、又は前記第１速度よりも遅い第２速度で上下方向に沿って移動可能である。前記制御部は、操作者の操作を示す操作信号に基づいて、前記停止モードから前記待機モードへ前記自動原稿送り装置を遷移する際に、前記画像形成装置に接続された外部入力装置から前記操作信号が入力されたか否かを判定する。前記制御部は、前記操作信号が前記外部入力装置から入力された場合に、前記ピックアップローラーが前記第２速度で上昇するように前記自動原稿送り装置を制御する。
【０００８】
本発明に係る自動原稿送り装置は、原稿台と、ピックアップローラーと、制御部とを有する。前記原稿台には、少なくとも１枚の原稿を含む原稿束が載置される。前記ピックアップローラーは、前記原稿束の上面に当接して回転することによって、前記原稿を前記原稿の搬送経路の下流側に送出する。前記制御部は、前記ピックアップローラーを制御する。前記自動原稿送り装置は、停止モードと待機モードとを有する。前記停止モードでは、前記待機モードと比べて前記画像形成装置の各部に供給される電力が低減される。前記ピックアップローラーは、第１速度、又は前記第１速度よりも遅い第２速度で上下方向に沿って移動可能である。前記制御部は、前記停止モードから前記待機モードへ遷移する際に、前記ピックアップローラーの上昇速度を前記第１速度と前記第２速度とのうちの一方に設定する設定情報に基づいて、前記ピックアップローラーを前記第１速度又は前記第２速度で上昇させる。
【発明の効果】
【０００９】
本発明の自動原稿送り装置、及び画像形成装置によれば、停止モードから待機モードに遷移した際に、ピックアップローラーの上昇に起因して、発生する騒音を低減することができる。
【図面の簡単な説明】
【００１０】
【図１】本発明の実施形態に係る画像形成装置の構成を示す図である。
【図２】本発明の実施形態に係る自動原稿送り装置の構成を示す図である。
【図３】本発明の実施形態に係る画像形成装置を示すブロック図である。
【図４】本発明の実施形態に係る制御部によるピックアップローラーの上昇動作処理を示すフローチャートである。
【発明を実施するための形態】
【００１１】
以下、図面を参照して本発明の実施形態を説明する。ただし、本発明は以下の実施形態に限定されない。なお、図中、同一、又は相当部分については、同一の参照符号を付して説明を繰り返さない。
【００１２】
図１を参照して、本発明の実施形態に係る画像形成装置１について説明する。図１は、本発明の実施形態に係る画像形成装置１の構成を示す図である。図１に示すように、本実施形態の画像形成装置１は、複合機である。複合機は、例えば、コピー機能、プリンター機能、及びファクシミリ機能のうち少なくとも２つの機能を有する。なお、画像形成装置１は、複写機、又はファクシミリ機であってもよい。
【００１３】
画像形成装置１は、用紙Ｓに画像を形成する。用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１４】
画像形成装置１は、筐体２と、給紙部３と、画像形成部４と、定着部５と、排出トレイ６と、原稿読取部７と、操作パネル８と、制御部９と、自動原稿送り装置１０とを備える。本実実施形態において、画像形成装置１は、停止モード（スリープモード）と、待機モード（通常モード）と、動作モードとを有する。
【００１５】
筐体２は、箱状に形成される。筐体２は、給紙部３と、画像形成部４と、定着部５と、原稿読取部７と、制御部９とを内部に収容する。
【００１６】
原稿読取部７は、筐体２の上端部に配置される。原稿読取部７は、載置台７１を有する。載置台７１は、原稿読取部７の上面部に配置される。載置台７１には、原稿が載置される。原稿読取部７は、載置台７１に載置された原稿の画像、又は、自動原稿送り装置１０によって搬送される原稿の画像を読み取って画像データを生成する。原稿読取部７は、画像データを制御部９に出力する。
【００１７】
操作パネル８は、原稿読取部７の表面部に配置される。操作パネル８は、本発明の操作部の一例である。操作パネル８は、例えば、ディスプレーを含む。ディスプレーは、各種の画面を表示する。また、操作パネル８は、タッチパネル機能を有する。操作パネル８は、使用者の操作に応じた操作信号を制御部９に出力する。使用者の操作は、例えば、画像形成装置１の各種設定を行う操作を含む。
【００１８】
自動原稿送り装置１０は、原稿読取部７の上方に配置される。自動原稿送り装置１０は、原稿台１１を有する。原稿台１１には、少なくとも１枚の原稿を含む原稿束が載置される。自動原稿送り装置１０は、原稿台１１に載置された原稿束の最上段の原稿を原稿読取部７に向かって順次搬送する。原稿台１１は、原稿検知部１１ｃを更に有する。原稿検知部１１ｃは、原稿台１１に原稿束が載置されたことを示す操作信号を制御部９に出力する。
【００１９】
給紙部３は、複数の給紙カセット３１を有する。給紙カセット３１は、筐体２の下部に配置される。各給紙カセット３１は、筐体２から着脱可能である。また、給紙カセット３１は、複数の用紙Ｓを収容し得る。給紙部３は、用紙Ｓの搬送経路を介して画像形成部４に用紙Ｓを供給する。
【００２０】
画像形成部４は、用紙Ｓの搬送経路において、給紙部３よりも下流側に配置される。画像形成部４は、用紙Ｓに画像を形成する。本実施形態において、画像形成部４は、用紙Ｓにトナー画像を形成する。画像形成部４は、像担持体４１と、帯電部４２と、露光部４３と、現像部４４と、転写部４５とを有する。
【００２１】
帯電部４２は、像担持体４１を所定電位に帯電する。露光部４３は、帯電された像担持体４１の外周面にレーザーを照射して静電潜像を形成する。現像部４４は、トナーを供給して静電潜像をトナー画像として現像する。転写部４５は、像担持体４１とともにニップ部を形成する。ニップ部を通過する用紙Ｓには、像担持体４１からトナー画像が転写される。
【００２２】
定着部５は、用紙Ｓの搬送経路において、画像形成部４よりも下流側に配置される。定着部５は、加熱部材５１と、加圧部材５２とを有する。加熱部材５１は、トナー画像が転写された用紙Ｓを加熱する。加圧部材５２は、トナー画像が転写された用紙Ｓを加熱部材５１とともに加圧する。具体的には、加圧部材５２は、加熱部材５１とともに定着ニップ部を形成する。定着ニップ部を通過することにより、用紙Ｓにはトナー画像が定着する。排出トレイ６には、トナー画像が定着した用紙Ｓが積載される。
【００２３】
制御部９は、例えば、プロセッサーと、記憶部とを有する。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、記憶部に記憶されたコンピュータープログラムに基づいて、給紙部３と、画像形成部４と、定着部５と、原稿読取部７と、操作パネル８と、自動原稿送り装置１０とを制御する。
【００２４】
次に、図２を参照して原稿読取部７及び自動原稿送り装置１０の構成について更に説明する。図２は、原稿読取部７及び自動原稿送り装置１０の構成を示す図である。
【００２５】
原稿読取部７の載置台７１は、第１コンタクトガラス７１ａと、第２コンタクトガラス７１ｂと、仕切り板７１ｃとを有する。第１コンタクトガラス７１ａ及び第２コンタクトガラス７１ｂは、透明な板状のガラスから形成される。仕切り板７１ｃは、第１コンタクトガラス７１ａと第２コンタクトガラス７１ｂとの間に配置される。なお、第１コンタクトガラス７１ａと第２コンタクトガラス７１ｂとは、一体に形成されてもよい。この場合に、１枚のコンタクトガラスは、仕切り板７１ｃによって、第１コンタクトガラス７１ａと第２コンタクトガラス７１ｂとに区分される。
【００２６】
原稿読取部７は、第１読取部７２を更に有する。第１読取部７２は、載置台７１の下方に配置される。第１読取部７２は、第１コンタクトガラス７１ａ上を通過する原稿Ｒの表面の画像を読み取って画像データを生成する。自動原稿送り装置１０によって搬送される原稿Ｒは、第１コンタクトガラス７１ａ上を通過する。また、第１読取部７２は、第２コンタクトガラス７１ｂに載置された原稿の画像を読み取って画像データを生成する。第１読取部７２は、画像データを制御部９に出力する。
【００２７】
第１読取部７２は、走査部７２ａと、案内部７２ｂとを有する。走査部７２ａは、例えば、ＣＩＳ（Ｃｏｎｔａｃｔ  Ｉｍａｇｅ  Ｓｅｎｓｏｒ）ユニットと、キャリッジとを有する。ＣＩＳユニットは、ＬＥＤ（Ｌｉｇｈｔ  Ｅｍｉｔｔｉｎｇ  Ｄｉｏｄｅ）、結像レンズ及びイメージセンサーを有する。キャリッジは、ＣＩＳユニットを支持する。案内部７２ｂは、副走査方向に延びる。案内部７２ｂは、キャリッジを副走査方向に移動可能に支持する。
【００２８】
自動原稿送り装置１０は、原稿台１１に加えて、第２読取部７３と、ピックアップローラー１２と、白基準ローラー１４と、原稿排出トレイ１６と、複数の搬送ローラー対とを更に有する。
【００２９】
第２読取部７３は、自動原稿送り装置１０内の搬送経路を搬送される原稿Ｒの裏面の画像を読み取って画像データを生成する。第２読取部７３は、画像データを制御部９に出力する。第２読取部７３は、例えば、ＣＩＳユニットである。
【００３０】
自動原稿送り装置１０の原稿台１１は、トレイ本体部１１ａと、昇降部１１ｂとを有する。トレイ本体部１１ａ及び昇降部１１ｂには、少なくとも１枚のシート状の原稿Ｒを含む原稿束Ｒ１が載置される。昇降部１１ｂは、上下方向に沿って移動する。昇降部１１ｂは、原稿台１１に原稿Ｒが載置された際に上昇する。この結果、原稿Ｒの先端側の端部が上昇して、ピックアップローラー１２に当接する。
【００３１】
ピックアップローラー１２は、原稿台１１の上方に配置される。詳しくは、原稿台１１の昇降部１１ｂの上方に配置される。ピックアップローラー１２が原稿束Ｒの上面に当接して回転することによって、原稿束Ｒ１の最上段に位置する原稿Ｒが搬送経路の下流側に送出される。詳しくは、ピックアップローラー１２は、原稿束Ｒ１から１枚の原稿Ｒを送出し、予め設定された時間が経過した後に、原稿束Ｒ１から次の原稿Ｒを送出する。なお、ピックアップローラー１２は、ピックアップローラー１２を支持する支持軸と同心に固定される。ピックアップローラー１２は、図示しない回転動力伝達部から供給される動力によって支持軸とともに回転する。回転動力伝達部は、例えば、ギヤ及びモーターを含む。
【００３２】
ピックアップローラー１２は、上下方向に沿って移動可能である。詳しくは、ピックアップローラー１２は、下限位置Ｐ１と上限位置Ｐ２との間で上下方向に沿って移動可能である。ピックアップローラー１２は、下限位置Ｐ１において、原稿台１１に当接する。ピックアップローラー１２は、上限位置Ｐ２において、原稿台に載置された最大積載高さの原稿束Ｒ１に当接しない。なお、ピックアップローラー１２は、図示しない移動動力伝達部から供給される動力によって支持軸とともに上下方向に沿って移動する。移動動力伝達部は、例えば、ギヤとアーム部とモーターとを含む。
【００３３】
ピックアップローラー１２は、第１速度、又は第１速度よりも遅い第２速度で上下方向に沿って移動する。第２速度で上昇するピックアップローラー１２に起因して発生する騒音は、第１速度で上昇するピックアップローラー１２に起因して発生する騒音よりも小さい。第１速度は、例えば、第２速度の２倍以上８倍以下の速度である。なお、ピックアップローラー１２の上昇に起因して発生する騒音は、例えば、移動動力伝達部の駆動音を含む。また、ピックアップローラー１２の上昇に起因して発生する騒音は、上昇するピックアップローラー１２を上限位置に規制する規制部とピックアップローラー１２との接触音を含む。規制部は、例えば、ピックアップローラー１２を覆うように配置されたカバー部材である。
【００３４】
自動原稿送り装置１０の複数の搬送ローラー対は、ピックアップローラー１２によって送出された原稿Ｒを搬送経路に沿って搬送する。白基準ローラー１４は、原稿の搬送経路を挟んで第２読取部７３と対向する。白基準ローラー１４は、原稿Ｒを搬送経路に沿って搬送する。また、白基準ローラー１４は、第２読取部７３の白基準の調整に用いられる。原稿排出トレイ１６には、搬送経路に沿って搬送された原稿Ｒが載置される。
【００３５】
次に、図１〜図３を参照して、制御部９について更に説明する。図３は、画像形成装置１を模式的に示すブロック図である。図３に示すように、本実施形態の画像形成装置１には、外部入力装置Ｔが接続される。外部入力装置Ｔは、制御部９に操作信号及び画像データを入力する。外部入力装置Ｔは、例えば、パーソナルコンピューター又はファクシミリ用回線である。
【００３６】
制御部９は、画像形成装置１のモードを動作モード、待機モード又は停止モードのいずれかのモードに遷移させる。なお、制御部９は、給紙部３、画像形成部４、定着部５、原稿読取部７、操作パネル８及び自動原稿送り装置１０の各々を、動作モード、待機モード又は停止モードのいずれかのモードにそれぞれ遷移させてもよい。
【００３７】
動作モードは、例えば、コピー動作又はスキャン動作を画像形成装置１が実施する状態を含む。停止モードでは、画像形成装置１の各部に供給される電力が待機モードに比べて低減される。停止モードは、必要最低限の電力のみが、給紙部３、画像形成部４、定着部５、原稿読取部７、操作パネル８及び自動原稿送り装置１０に供給される状態を含む。
【００３８】
制御部９は、例えば、操作パネル８、原稿検知部１１ｃ又は外部入力装置Ｔから入力された操作信号に基づいて、画像形成装置１を停止モードから待機モードに遷移させる。また、制御部９は、操作パネル８又は外部入力装置Ｔから入力された操作信号に基づいて、画像形成処理又は画像データ生成処理のような動作処理を実施する。制御部９は、動作処理を実施する際に、画像形成装置１を待機モードから動作モードに遷移させる。
【００３９】
制御部９は、画像データ生成処理において、例えば、原稿Ｒを搬送するように自動原稿送り装置１０を制御するとともに、原稿Ｒを読み取って画像データを生成するように原稿読取部７を制御する。また、制御部９は、画像形成処理において、画像データに基づいて用紙Ｓに画像を形成するように、給紙部３、画像形成部４及び定着部５を制御する。
【００４０】
制御部９は、例えば、動作処理を終えた後に、画像形成装置１を動作モードから待機モードに遷移させる。また、制御部９は、待機モードにおいて、新たな操作信号が入力されない場合に、画像形成装置１を待機モードから停止モードに遷移させる。詳しくは、制御部９は、待機モードにおいて、新たな操作信号が入力されずに、予め設定された時間が経過した場合に、画像形成装置１を待機モードから停止モードに遷移させる。なお、制御部９は、操作パネル８から入力された操作信号に基づいて、画像形成装置１を待機モードから停止モードに遷移させてもよい。画像形成装置１の停止モードは、典型的には、節電モードである。
【００４１】
制御部９は、自動原稿送り装置１０が原稿束Ｒ１を送出した送出回数を計測する。本実施形態において、制御部９は、停止モードと停止モードとの間の単位時間あたりの送出回数を計測する。停止モードと停止モードとの間は、画像形成装置１が停止モードから待機モードに遷移して次の停止モードに遷移するまでの間である。制御部９は、計測した送出回数を記憶部に順次記憶する。なお、記憶部は、不揮発性を有していればよい。記憶部には、ＨＤＤに換えて、例えば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）が採用されてもよい。
【００４２】
制御部９は、記憶部に記憶した各送出回数に基づいて、原稿束Ｒ１の平均送出回数を算出する。制御部９は、算出した平均送出回数を記憶部に記憶する。なお、平均送出回数は、例えば、画像形成装置１が停止モードに遷移する毎に算出されて更新される。
【００４３】
制御部９は、操作信号に基づいて画像形成装置１を停止モードから待機モードに遷移させる際に、操作信号が外部入力装置Ｔから入力されたか否かを判定する。本実施形態において、制御部９は、操作信号が外部入力装置Ｔから入力されたと判定した場合に、平均送出回数と閾値とを比較する。閾値は、ユーザーによって予め設定される。なお、閾値は、記憶部が予め記憶するデフォルト値であってもよい。
【００４４】
制御部９は、平均送出回数と閾値とを比較して、平均送出回数が閾値以下であるか否かを判定する。制御部９は、平均送出回数が閾値以下ではない場合に、ピックアップローラー１２が第２速度で上昇するように自動原稿送り装置１０を制御する。この結果、停止モードから待機モードに遷移した際に、ピックアップローラー１２の上昇に起因して発生する騒音を低減することができる。また、ピックアップローラー１２の上昇に起因するピックアップローラー１２の摩耗を低減することができる。
【００４５】
また、制御部９は、平均送出回数が閾値以下の場合に、ピックアップローラー１２が移動しないように自動原稿送り装置１０を制御する。この結果、外部入力装置Ｔから入力された操作信号に基づいて停止モードから待機モードに遷移した際に、ピックアップローラー１２は上昇しない。よって、ピックアップローラー１２の上昇に起因して発生する騒音を防止することができる。また、ピックアップローラー１２の上昇に起因するピックアップローラー１２の摩耗を防止することができる。本実施形態において、制御部９は、平均送出回数が閾値以下の場合にのみピックアップローラー１２が移動しないように制御しており、例えば、外部入力装置Ｔを用いて画像形成装置１の印刷機能を利用する頻度が高く、画像形成装置１の原稿読み取り機能を利用する頻度が低いユーザーに有用である。
【００４６】
制御部９は、操作信号が外部入力装置Ｔから入力されていないと判定した場合に、換言すると、操作信号が操作パネル８又は原稿検知部１１ｃから入力された場合に、ピックアップローラー１２が第１速度又は第２速度で上昇するように自動原稿送り装置１０を制御する。ピックアップローラー１２を第１速度で上昇させるのか、又は、ピックアップローラー１２を第２速度で上昇させるのかは、例えば、ユーザーによって予め設定され得る。
【００４７】
例えば、ユーザーは、操作パネル８を介してピックアップローラー１２の上昇速度を高速と低速とのうちの一方に設定する。したがって、ユーザーが低速を所望する場合には、停止モードから待機モードに遷移する際に、ピックアップローラー１２が第２速度で上昇され、ピックアップローラー１２の上昇に起因して発生する騒音を低減することができる。また、ユーザーが高速を所望する場合には、ピックアップローラー１２が第１速度で上昇され、停止モードから待機モードへの遷移を早く終えることができる。
【００４８】
次に、図４を参照して、制御部９によるピックアップローラー１２の上昇動作処理について説明する。図４は、制御部９によるピックアップローラー１２の上昇動作処理を示すフローチャートである。なお、図４に示す上昇動作処理は、画像形成装置１が停止モードの際に、制御部９に操作信号が入力されると開始する。
【００４９】
制御部９は、ステップＳ１０において、操作信号が入力されると、ステップＳ２０において、操作信号が外部入力装置Ｔから入力されたか否かを判定する。制御部９は、操作信号が外部入力装置Ｔから入力されていないと判定した場合に（ステップＳ２０のＮｏ）、ステップＳ３０において、低速が設定されているか否かを判定する。制御部９は、低速が設定されていない場合に（ステップＳ３０のＮｏ）、ステップＳ４０において、ピックアップローラー１２が第１速度で上昇するように自動原稿送り装置１０を制御して、上昇動作処理を終了する。
【００５０】
制御部９は、低速が設定されている場合に（ステップＳ３０のＹｅｓ）、ステップＳ５０において、ピックアップローラー１２が第２速度で上昇するように自動原稿送り装置１０を制御して、上昇動作処理を終了する。
【００５１】
制御部９は、操作信号が外部入力装置Ｔから入力されたと判定した場合に（ステップＳ２０のＹｅｓ）、ステップＳ６０において、平均送出回数が閾値以下であるか否かを判定する。
【００５２】
制御部９は、平均送出回数が閾値以下ではないと判定した場合に（ステップＳ６０のＮｏ）、ステップＳ５０において、ピックアップローラー１２が第２速度で上昇するように自動原稿送り装置１０を制御して、上昇動作処理を終了する。また、制御部９は、平均送出回数が閾値以下であると判定した場合に（ステップＳ６０のＹｅｓ）、ステップＳ７０において、ピックアップローラー１２が上昇しないように自動原稿送り装置１０を制御して、上昇動作処理を終了する。
【００５３】
以上、図１から図４を参照して、本発明の実施形態に係る画像形成装置１、及び自動原稿送り装置１０について説明した。但し、本発明は、上記の実施形態に限られるものではなく、その要旨を逸脱しない範囲で種々の態様において実施することが可能である。
【００５４】
例えば、本発明の実施形態では、画像形成装置１が自動原稿送り装置１０を備えていたが、本発明はこれに限定されない。本発明は、自動原稿送り装置１０と、原稿読取部７と、制御部９とが一体に構成されたスキャナーにも適用され得る。
【００５５】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５６】
本発明は、画像形成装置、及び自動原稿送り装置に関するものであり、自動原稿送り装置で生じる騒音の抑制に有用である。
【符号の説明】
【００５７】
１        画像形成装置
４        画像形成部
７        原稿読取部
９        制御部
１０      自動原稿送り装置
１１      原稿台
１２      ピックアップローラー
Ｔ        外部入力装置
Ｓ        用紙
Ｒ        原稿
Ｒ１      原稿束
【図１】
2018165190.tif 000003
【図２】
2018165190.tif 000004
【図３】
2018165190.tif 000005
【図４】
2018165190.tif 000006